【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
命令を記憶する少なくとも１つのメモリと、
１又は複数のプロセッサと、を備え、
前記命令が、前記１又は複数のプロセッサによって実行されると、前記１又は複数のプロセッサに、
グループを形成するためのグループ情報の要求を複数のデバイスに送信するよう制御することと、
前記グループ情報の要求の送信後、前記複数のデバイスから前記グループ情報を受信することと、
前記グループ情報に基づいて、前記グループを形成することと、
前記グループ内の複数のデバイスにモデル要求を送信するよう制御することと、
前記モデル要求の送信後、前記グループ内の複数のデバイスからモデルを受信することと、
受信した複数のモデルに基づいて、第２モデルを生成することと、
前記グループ内の複数のデバイスに、生成した前記第２モデルを送信するよう制御することと、
を実行させるように動作可能であるデバイス。
【請求項２】
前記１又は複数のプロセッサに、
前記グループのリーダーデバイスを決定することと、
自デバイスが前記リーダーデバイスに決定された場合、前記モデル要求を送信するよう制御することと、
を実行させるように動作可能である、請求項１に記載のデバイス。
【請求項３】
前記１又は複数のプロセッサに、局所モデルを用いて収集したデータを解析すること、
を更に実行させるように動作可能である請求項１又は請求項２に記載のデバイス。
【請求項４】
前記リーダーデバイスの決定は、ユーザ指定、環境条件、ランダム割り当て、ID、合意プロトコル又は機能のうち少なくとも１つに基づく、
請求項２に記載のデバイス。
【請求項５】
前記グループは、前記複数のデバイスの地理的情報に基づいて形成される、
請求項１から請求項４のいずれかに記載のデバイス。
【請求項６】
前記１又は複数のプロセッサに、受信した前記複数のモデルをフィルタして、前記第２モデルの生成に用いるモデルを選択すること、
を更に実行させるように動作可能である、請求項１から請求項５のいずれかに記載のデバイス。
【請求項７】
前記１又は複数のプロセッサに、前記局所モデル及び受信した前記複数のモデルを用いて、前記第２モデルを生成すること、
を実行させるように動作可能である、請求項３に記載のデバイス。
【請求項８】
前記複数のデバイスは、
自らが収集したデータを解析する、第１デバイスと、
前記第１デバイスが収集したデータとは異なるタイプである、自らが収集したデータを解析する、第２デバイスと、
を含む、請求項１から請求項７のいずれかに記載のデバイス。
【請求項９】
前記１又は複数のプロセッサに、前記局所モデルを前記第２モデルで置き換えること、
を更に実行させるように動作可能である、請求項３に記載のデバイス。
【請求項１０】
命令を記憶する少なくとも１つのメモリと、
１つ又は複数のプロセッサと、を備え、
前記命令が、前記１つ又は複数のプロセッサによって実行されると、前記１つ又は複数のプロセッサに、
グループを形成するためのグループ情報の要求を他のデバイスから受信することと、
前記グループ情報の要求の受信に応じて、前記グループ情報を前記他のデバイスに送信するよう制御することと、
前記グループ情報の送信後、前記他のデバイスからモデル要求を受信することと、
前記モデル要求の受信後、前記他のデバイスにモデルを送信するよう制御することと、
前記モデルの送信後、前記他のデバイスから第２モデルを受信することと、
を実行させるように動作可能であるデバイス。
【請求項１１】
前記１つ又は複数のプロセッサに、
前記モデルを用いて収集したデータを解析することと、
前記解析の結果に基づいて、前記モデルを更新することと、
前記モデル要求に対して、更新後の前記モデルを送信するよう制御することと、
を実行させるように動作可能である、請求項１０に記載のデバイス。
【請求項１２】
前記１つ又は複数のプロセッサに、受信した前記第２モデルを用いて、収集したデータを解析すること、
を更に実行させるように動作可能である、請求項１０又は１１に記載のデバイス。
【請求項１３】
前記１つ又は複数のプロセッサに、グループの構築要求を前記他のデバイスに送信するよう制御すること、
を更に実行させるように動作可能である、請求項１０から請求項１２のいずれかに記載のデバイス。
【請求項１４】
１つ又は複数のプロセッサによって、グループを形成するためのグループ情報の要求を複数のデバイスに送信するよう制御することと、
前記１つ又は複数のプロセッサによって、前記グループ情報の要求の送信後、前記複数のデバイスから、前記グループ情報を受信することと、
前記１つ又は複数のプロセッサによって、前記グループ情報に基づいて、前記グループを形成することと、
前記１つ又は複数のプロセッサによって、前記グループ内の複数のデバイスにモデル要求を送信するよう制御することと、
前記１つ又は複数のプロセッサによって、前期モデル要求の送信後、前記グループ内の複数のデバイスからモデルを受信することと、
前記１つ又は複数のプロセッサによって、受信した複数のモデルに基づいて、第２モデルを生成することと、
前記１つ又は複数のプロセッサによって、前記グループ内の複数のデバイスに、生成した前記第２モデルを送信するよう制御することと、
を備える方法。
【請求項１５】
前記１つ又は複数のプロセッサによって、前記グループのリーダーデバイスを決定すること、を更に備え、
前記１つ又は複数のプロセッサによって、自デバイスが前記リーダーデバイスに決定された場合、前記モデル要求を送信するよう制御する、
請求項１４に記載の方法。
【請求項１６】
前記１つ又は複数のプロセッサによって、局所モデルを用いて収集したデータを解析すること、
を更に備える請求項１４又は請求項１５に記載の方法。
【請求項１７】
前記１つ又は複数のプロセッサによって、受信した前記複数のモデルをフィルタリングすることと、
前記１つ又は複数のプロセッサによって、前記第２モデルの生成に用いるモデルを選択することと、
を更に備える請求項１４から請求項１６のいずれかに記載の方法。
【請求項１８】
前記１つ又は複数のプロセッサによって、前記局所モデル及び受信した前記複数のモデルを用いて、前記第２モデルを生成する、
請求項１６に記載の方法。
【請求項１９】
前記１つ又は複数のプロセッサによって、前記局所モデルを前記第２モデルで置き換えること、
を更に備える請求項１６に記載の方法。
【請求項２０】
１つ又は複数のプロセッサによって、グループを形成するためのグループ情報の要求を他のデバイスから受信することと、
前記１つ又は複数のプロセッサによって、前記グループ情報の受信後、前記グループ情報を前記他のデバイスに送信するよう制御することと、
前記１つ又は複数のプロセッサによって、前記グループ情報の送信後、前記他のデバイスからモデル要求を受信することと、
前記１つ又は複数のプロセッサによって、前記モデル要求の受信後、前記他のデバイスにモデルを送信するよう制御することと、
前記１つ又は複数のプロセッサによって、前記モデルの送信後、前記他のデバイスから第２モデルを受信することと、
を備える方法。
【請求項２１】
前記１つ又は複数のプロセッサによって、前記モデルを用いて収集したデータを解析することと、
前記１つ又は複数のプロセッサによって、前記解析の結果に基づいて、前記モデルを更新することと、を更に備え、
前記１つ又は複数のプロセッサによって、前記モデル要求に対して、更新後の前記モデルを送信するよう制御する、
請求項２０に記載の方法。
【請求項２２】
前記１つ又は複数のプロセッサによって、受信した前記第２モデルを用いて、収集したデータを解析することと、
を更に備える請求項２０又は請求項２１に記載の方法。
【請求項２３】
前記１つ又は複数のプロセッサによって、グループの構築要求を前記他のデバイスに送信するよう制御すること、
を更に備える請求項２０から請求項２２のいずれかに記載の方法。